(57)【要約】【課題】閉塞蓋体により収納物の外部への飛散を防止でき、閉塞蓋体で上部開口部を閉塞したままでも安定的に段積みすることができ、既存のかごパレットに後付け使用することも可能なパレット用蓋体、並びにこのパレット用蓋体を具備するかご型パレットを提供すること。【解決手段】かご型パレットＡの周壁部３の上部開口部５を閉塞可能な形状の閉塞蓋体６に、この閉塞蓋体６を周壁部３に着脱開閉自在に取付けて上部開口部５を閉塞する取付手段７を設けると共に、この取付手段７は、かご型パレットＡを上下に段積みした際に、下段側のかご型パレットＡの上部開口部５を閉塞する閉塞蓋体６を、上段側のかご型パレットＡの脚部２より下方に下がった位置に取付可能な構成とする。【選択図】図１
2016003030.tif 000002
【特許請求の範囲】
【請求項１】
底部材の下部に、接地面に接地する脚部を垂設すると共に、この底部材の周縁部に周壁部を立設状態に設けて上部が開口するかご型体に形成し、前記底部材若しくは前記脚部に、前記周壁部の上縁に上方から載置可能な載置部を設けて、この載置部を周壁部の上縁に載置することで上下に複数段積みし得るように構成したかご型パレットに用いるパレット用蓋体であって、前記周壁部の上部開口部を閉塞可能な形状の閉塞蓋体に、この閉塞蓋体を周壁部に着脱開閉自在に取付けて前記上部開口部を閉塞する取付手段を設けると共に、この取付手段は、前記載置部を前記周壁部の上縁に載置して前記かご型パレットを上下に段積みした際に、下段側のかご型パレットの前記上部開口部を閉塞する前記閉塞蓋体を、上段側のかご型パレットの脚部より下方に下がった位置に取付可能な構成としたことを特徴とするパレット用蓋体。
【請求項２】
前記底部材の周囲に格子状の前記周壁部を立設状態に設けたかご型パレットに用いるパレット用蓋体であって、前記取付手段は、前記閉塞蓋体の対向位置に、前記周壁部の格子目部に差込み可能な差込部を設けて、この差込部を格子目部に差込むことによって閉塞蓋体を周壁部に取付けし得るように構成すると共に、この差込部を差込む前記格子目部を選択して閉塞蓋体を周壁部に取付けすることによって、前記かご型パレットを上下に段積みした際の下段側のかご型パレットに取付ける前記閉塞蓋体を、上段側のかご型パレットの前記脚部より下方に下がった位置に取付可能な構成としたことを特徴とする請求項１記載のパレット用蓋体。
【請求項３】
前記取付手段は、前記閉塞蓋体の対向位置に前記周壁部の対向上縁に掛止可能な掛止部を設けて、この掛止部を周壁部の対向上縁に掛止めることによって閉塞蓋体を周壁部に取付し得るように構成すると共に、この掛止部は、閉塞蓋体の上面に対し上方へ段差状に突出する形状に形成して、この掛止部を周壁部の対向上縁に掛止めて閉塞蓋体を周壁部に取付けると、前記かご型パレットを上下に段積みした際の下段側のかご型パレットに取付けた前記閉塞蓋体が、上段側のかご型パレットの前記脚部より下方に下がった位置に配設する構成としたこと特徴とする請求項１記載のパレット用蓋体。
【請求項４】
前記閉塞蓋体は、上下に複数重合可能な板状体に形成したことを特徴とする請求項１〜３のいずれか１項に記載のパレット用蓋体。
【請求項５】
底部材の下部に、接地面に接地する脚部を垂設すると共に、この底部材の周縁部に周壁部を立設状態に設けて上部が開口するかご型体に形成し、前記底部材若しくは前記脚部に、前記周壁部の上縁に上方から載置可能な載置部を設けて、この載置部を周壁部の上縁に載置することで上下に複数段積みし得るように構成したかご型パレットと、前記請求項１〜４のいずれか１項に記載のパレット用蓋体とから成ることを特徴とするかご型パレット。
【発明の詳細な説明】
【技術分野】
【０００１】
本発明は、かご型パレットに用いてその上部開口部を着脱開閉自在に閉塞するパレット用蓋体、並びにこのパレット用蓋体を備えたかご型パレットに関するものである。
【背景技術】
【０００２】
かご型パレットは、方形状の底部材の前後左右の各側縁部に、前壁体と後壁体と左壁体と右壁体とから成る周壁部が立設状態に設けられて上部が開口するかご型体に構成されている。
【０００３】
また、この種のかご型パレットには、底部材の四隅部に接地面に接地する脚部が垂設されると共に、この脚部の側方に、前記周壁部に上方から載置可能な載置部が設けられ、この載置部を周壁部の上縁に載置することでかご型パレットを上下に段積みできるように構成されているものもある（例えば、特許文献１参照。）。
【０００４】
ところで、この種のかご型パレットは、収納物の収納状況をより確実なものとするために、上部開口部に蓋を設けることが望まれている。
【０００５】
しかし、上記の段積み可能なかご型パレットに対して蓋を設けてしまうと、段積みする際に蓋と脚部が接触して安定的に段積みできなくなってしまったり、蓋上に脚部が載ることで蓋の変形を生じてしまうことが懸念されるため、この種段積み可能なかご型パレットには蓋が設けられているものはなかった。
【０００６】
そこで、出願人は、周壁部の上部開口部を開閉可能な閉塞蓋体付きにして、閉塞蓋体で上部開口部を閉塞したままでも安定的に段積みすることが可能となる特許第５１６１９１５号（特許文献１）を開発した。
【先行技術文献】
【特許文献】
【０００７】
【特許文献１】特許第５１６１９１５号公報
【発明の概要】
【発明が解決しようとする課題】
【０００８】
上記特許文献１は、前記周壁部の上部開口部を開閉自在に閉塞する閉塞蓋体を設けると共に、前記載置部を前記周壁部の上縁に載置してかご型パレットを上下に段積みした際に前記脚部が前記閉塞蓋体に載置することを避ける脚避け用開口部を閉塞蓋体の隅部に設けて、脚部が閉塞蓋体に接触することを防止している。
【０００９】
そのため、この脚避け用開口部に前記脚部が収まる上下段積み時以外は、事実上脚避け用開口部が閉塞されない状態にあって、不十分な閉塞状態となる懸念があった。
【００１０】
本発明は、このような懸念を払拭するためのもので、周壁部の上部開口部を閉塞したままでも安定的に段積みできる機能はそのままに、この上部開口部を閉塞蓋体で十分に閉塞でき、しかも既存のかご型パレットに対しての後付け使用も可能となるパレット用蓋体、並びにこのパレット用蓋体を具備するかご型パレットを提供するものである。
【課題を解決するための手段】
【００１１】
添付図面を参照して本発明の要旨を説明する。
【００１２】
底部材１の下部に、接地面に接地する脚部２を垂設すると共に、この底部材１の周縁部に周壁部３を立設状態に設けて上部が開口するかご型体に形成し、前記底部材１若しくは前記脚部２に、前記周壁部３の上縁に上方から載置可能な載置部４を設けて、この載置部４を周壁部３の上縁に載置することで上下に複数段積みし得るように構成したかご型パレットＡに用いるパレット用蓋体であって、前記周壁部３の上部開口部５を閉塞可能な形状の閉塞蓋体６に、この閉塞蓋体６を周壁部３に着脱開閉自在に取付けて前記上部開口部５を閉塞する取付手段７を設けると共に、この取付手段７は、前記載置部４を前記周壁部３の上縁に載置して前記かご型パレットＡを上下に段積みした際に、下段側のかご型パレットＡの前記上部開口部５を閉塞する前記閉塞蓋体６を、上段側のかご型パレットＡの脚部２より下方に下がった位置に取付可能な構成としたことを特徴とするパレット用蓋体に係るものである。
【００１３】
また、前記底部材１の周囲に格子状の前記周壁部３を立設状態に設けたかご型パレットＡに用いるパレット用蓋体であって、前記取付手段７は、前記閉塞蓋体６の対向位置に、前記周壁部３の格子目部８に差込み可能な差込部９を設けて、この差込部９を格子目部８に差込むことによって閉塞蓋体６を周壁部３に取付けし得るように構成すると共に、この差込部９を差込む前記格子目部８を選択して閉塞蓋体６を周壁部３に取付けすることによって、前記かご型パレットＡを上下に段積みした際の下段側のかご型パレットＡに取付ける前記閉塞蓋体６を、上段側のかご型パレットＡの前記脚部２より下方に下がった位置に取付可能な構成としたことを特徴とする請求項１記載のパレット用蓋体に係るものである。
【００１４】
また、前記取付手段７は、前記閉塞蓋体６の対向位置に前記周壁部３の対向上縁に掛止可能な掛止部10を設けて、この掛止部10を周壁部３の対向上縁に掛止めることによって閉塞蓋体６を周壁部３に取付し得るように構成すると共に、この掛止部10は、閉塞蓋体６の上面に対し上方へ段差状に突出する形状に形成して、この掛止部10を周壁部３の対向上縁に掛止めて閉塞蓋体６を周壁部３に取付けると、前記かご型パレットＡを上下に段積みした際の下段側のかご型パレットＡに取付けた前記閉塞蓋体６が、上段側のかご型パレットＡの前記脚部２より下方に下がった位置に配設する構成としたこと特徴とする請求項１記載のパレット用蓋体に係るものである。
【００１５】
また、前記閉塞蓋体６は、上下に複数重合可能な板状体に形成したことを特徴とする請求項１〜３のいずれか１項に記載のパレット用蓋体に係るものである。
【００１６】
また、底部材１の下部に、接地面に接地する脚部２を垂設すると共に、この底部材１の周縁部に周壁部３を立設状態に設けて上部が開口するかご型体に形成し、前記底部材１若しくは前記脚部２に、前記周壁部３の上縁に上方から載置可能な載置部４を設けて、この載置部４を周壁部３の上縁に載置することで上下に複数段積みし得るように構成したかご型パレットＡと、前記請求項１〜４のいずれか１項に記載のパレット用蓋体とから成ることを特徴とするかご型パレットに係るものである。
【発明の効果】
【００１７】
本発明は上述のように構成したから、閉塞蓋体に上記特許文献１のような開口部を有しないためにこの閉塞蓋体で十分且つ確実に周壁部の上部開口部を閉塞できて収納物の飛散等を阻止でき、また、例えば南京錠などを併用して閉塞蓋体の閉塞状態を確固なものとすることによって高い盗難防止効果を発揮できることとなり、しかも本発明は、かご型パレットの上下段積み時に脚部が接触しないようにして閉塞蓋体を周壁部に取付けできるので、閉塞蓋体を取付けたままでもかご型パレットの安定的な上下段積みが可能で段積み時に閉塞蓋体の変形も生じることがなく、その上本発明は、取付手段を介して既存のかご型パレットへの後付け使用が可能な構成も容易に設計実現可能となるなど、極めて実用性に優れたパレット用蓋体となる。
【００１８】
また、請求項２，３記載の発明においては、上下段積みした際に、上段側のかご型パレットの脚部が下段側のかご型パレットの閉塞蓋体に確実に載置接触しないようにして閉塞蓋体を周壁部に取付可能な取付手段を、簡易構成にして容易に設計実現可能となる一層実用性に優れたパレット用蓋体となる。
【００１９】
また、請求項２記載の発明は、格子状の前記周壁部を具備する既存のかご型パレットに対して容易に適用可能であり、請求項３記載の発明は、周壁部を具備する既存のかご型パレットに対して容易に適用可能であるから、いずれの発明も実現化が容易で後付け使用も容易に可能となる優れた構成のパレット用蓋体となる。
【００２０】
また、請求項４記載の発明においては、閉塞蓋体を複数重合して嵩張らないようにできるから、例えば運搬時や格納時に便利となるなど、一層実用性に優れた構成のパレット用蓋体となる。
【００２１】
また、請求項５記載の発明においては、上記作用・効果を発揮する極めて実用性に優れたかご型パレットとなる。
【図面の簡単な説明】
【００２２】
【図１】実施例１の使用状態を示す斜視図である。
【図２】実施例１を示す斜視図である。
【図３】実施例１の閉塞蓋体の取付途中の状態を示す一部を省略した斜視図である。
【図４】実施例１の使用状態におけるかご型パレットの段積み状態を示す斜視図である。
【図５】実施例１を複数重合した状態を示す斜視図である。
【図６】実施例２の使用状態を示す斜視図である。
【図７】実施例２を示す斜視図である。
【図８】実施例２の使用状態におけるかご型パレットの段積み状態を示す斜視図である。
【図９】実施例２を複数重合した状態を示す斜視図である。
【図１０】実施例３の使用状態を示す斜視図である。
【図１１】実施例３を示す斜視図である。
【図１２】実施例３の使用状態における段積み状態を示す斜視図である。
【図１３】実施例３を複数重合した状態を示す斜視図である。
【発明を実施するための形態】
【００２３】
好適と考える本発明の実施形態を、図面に基づいて本発明の作用を示して簡単に説明する。
【００２４】
本発明のパレット用蓋体（閉塞蓋体６）は、取付手段７を介してかご型パレットＡの周壁部３に着脱開閉自在に取付けると、この周壁部３の上部開口部５を閉塞することができる。
【００２５】
従って、収納物の保管時や、フォークリフトなどの搬送装置でかご型パレットＡを搬送する際などに周壁部３の上部開口部５を閉塞蓋体６で閉塞しておくと、この閉塞蓋体６によりかご型パレットＡ内に収納した収納物の飛散が阻止されることになる。
【００２６】
また、本発明は、取付手段７の設定によりこの取付手段７を介して既存のかご型パレットＡへの後付け使用が可能なパレット用蓋体を構成することも容易に可能である。
【００２７】
また、かご型パレットＡは、底部材１若しくは脚部２に設けた載置部４を、他のかご型パレットＡの周壁部３の上縁に上方から載置することで複数上下に段積みすることができるが、この際本発明のパレット用蓋体は、下段側のかご型パレットＡの周壁部３に対し、上段側に段積みされるかご型パレットＡの脚部２より下方に下がった位置に前記取付手段７を介して取付け可能である。
【００２８】
即ち、段積み時に下段側のかご型パレットＡの上部開口部５を閉塞蓋体６で閉塞したままでも、上段側のかご型パレットＡの脚部２は、下段側のかご型パレットＡの閉塞蓋体６より上方に配されて閉塞蓋体６上に載置接触することがない。
【００２９】
従って、かご型パレットＡを段積みする際に脚部２が閉塞蓋体６に接触しない位置に閉塞蓋体６を取付けでき、これによりかご型パレットＡの安定的な段積みが可能であると共に、段積み時に閉塞蓋体６の変形も生じない。
【００３０】
また、閉塞蓋体に脚避け用開口部を有する上記特許文献１とは異なり、周壁部３に対する閉塞蓋体６の取付位置を下方へ下げて取付けることで脚部２が接触しないようにする構成であるから、余計な開口部を有しない閉塞蓋体６で周壁部３の上部開口部５の全範囲を閉塞できる構成を簡易に設計実現可能である。また、このような上部開口部５の全範囲を閉塞できる閉塞蓋体６に、南京錠などを併用して閉塞蓋体６の閉塞状態を確固なものとすることもでき、このようにすると収納物の盗難防止効果が飛躍的に向上することになる。
【実施例１】
【００３１】
本発明の具体的な実施例１について図１〜図５に基づいて説明する。
【００３２】
本実施例は、底部材１の下部に、接地面に接地する脚部２を垂設すると共に、この底部材１の周縁部に周壁部３を立設状態に設けて上部が開口するかご型体に形成し、前記底部材１若しくは前記脚部２に、前記周壁部３の上縁に上方から載置可能な載置部４を設けて、この載置部４を周壁部３の上縁に載置することで上下に複数段積みし得るように構成した既存のかご型パレットＡに対し後付けして用いるパレット用蓋体（閉塞蓋体６）に係るものである。
【００３３】
先ず、本実施例で採用したかご型パレットＡについて説明する。
【００３４】
図１に示すように、方形板状を呈する底部材１の下部四隅部に、接地面に接地する脚部２を垂設すると共に、この底部材１の前後左右の各側縁部に、いずれも方形板状を呈する前壁体11と後壁体12と左壁体13と右壁体14とを立設状態に設けて、この前壁体11と後壁体12と左壁体13と右壁体14とで底部材１を囲う周壁部３を構成している。また、底部材１，前壁体11，後壁体12，左壁体13，右壁体14は、いずれも格子網板（格子壁）状に構成して上部が開口する網かご型体に構成している。
【００３５】
また、前記底部材１の前側縁部に前記前壁体11を起伏回動自在に枢着してこの前壁体11を底部材１上に折り畳み重合可能に構成すると共に、前記底部材１の後側縁部に前記後壁体12を起伏回動自在に枢着してこの後壁体12を底部材１上に折り畳み重合可能に構成している。
【００３６】
具体的には、底部材１の前側縁部に螺旋状のヒンジコイル15を横設状態に装着し、このヒンジコイル15に前壁体11の下側縁部を連結することにより、このヒンジコイル15を介して底部材１に対し前壁体11を起伏回動自在に枢着し、また、底部材１の後側縁部に螺旋状のヒンジコイル16を横設状態に装着し、このヒンジコイル16に後壁体12の下側縁部を連結することにより、このヒンジコイル16を介して底部材１に対し後壁体12を起伏回動自在に枢着した構成としている。
【００３７】
また、この後壁体12の左右側縁部夫々に螺旋状のヒンジコイル17・18を縦設状態に装着し、この各ヒンジコイル17・18に左壁体13と右壁体14の後側縁部を連結して、立設状態の後壁体12に対し左壁体13と右壁体14とを水平回動自在に枢着した構成としている。
【００３８】
従って、例えば、先ず、左壁体13を水平内側方向へ回動させて後壁体12の内側面に折り畳み重合し、次いで右壁体14を水平内側方向へ回動させて左壁体13の外側面に折り畳み重合し、次いでこの右壁体14と左壁体13とが折り畳み重合された後壁体12を底部材１上に伏動回動させることで、右壁体14と左壁体13と後壁体12とを、底部材１上に偏平状態に折り畳みできる構成としている。また、本実施例のかご型パレットＡは、上記特許文献１と同様に、前壁体11を底部材１に対して折り畳み重合した後、この前壁体11の上方から前記右壁体14と前記左壁体13とを折り畳み重合した前記後壁体12を底部材１に向かって折り畳み重合することで扁平な折り畳み状態（格納状態）とし得るように構成している。
【００３９】
また、前壁体11は、上下に二分割された構成とすると共に、この上壁部11Ａと下壁部11Ｂとを横設状態に配した螺旋状のヒンジコイル20で枢着して二つ折り重合し得るように構成している。
【００４０】
また、この前壁体11に、この前壁体11を左右壁体13・14に係止して倒れないように保持する係止・解除可能な係止手段21を、上壁部11Ａの左右部と下壁部11Ｂの左右部とに夫々設けている。従って、この各係止手段21を解除することで、前壁体11を前方へ開放回動させることができ、また、上壁部11Ａの各係止手段21だけを解除することで、この上壁部11Ａだけを前方へ開放回動させることもできる構成としている。
【００４１】
また、前記各脚部２は、側部に載置部４が突設された既存のＰ型脚を採用し、この載置部４を左右外側方向に向けて突設すると共に、各載置部４がいずれも左右壁体13・14より外方へ突出状態となるようにして各脚部２を底部材１の下面の四隅部に付設している。
【００４２】
また、前記底部材１の左右側縁部には、夫々の前後位置に前記脚部２の載置部４を支持して、偏平に折り畳んだ状態のかご型パレットＡを上下に積み重ねた状態で格納するための支持部19を設けている。
【００４３】
また、前記載置部４は、立設状態の前記周壁部３の上縁（本実施例の場合、左右壁体13・14の上縁）にも載置可能であり、この載置部４を周壁部３の上縁に載置することで複数のかご型パレットＡを上下に段積みし得るように構成し、この際、上段側のかご型パレットＡの前記脚部２が、下段側のかご型パレットＡの前記周壁部３の内側に配設するように構成している（図４参照）。
【００４４】
次に、本実施例のパレット用蓋体（閉塞蓋体６）について説明する。
【００４５】
本実施例の閉塞蓋体６は、図２に示すように格子網板（格子壁）状であって周壁部３の上部開口部５の形に略合致する長方形板状体としている。
【００４６】
また、この閉塞蓋体６に、この閉塞蓋体６を周壁部３に着脱開閉自在に取付けて前記上部開口部５を閉塞する取付手段７を設けている。
【００４７】
本実施例の取付手段７は、前記閉塞蓋体６の左右対向位置に、前記周壁部３の格子目部８に差込み可能な差込部９を設けて、この差込部９を格子目部８に差込むことによって閉塞蓋体６を周壁部３に取付けし得るように構成すると共に、この差込部９を差込む前記格子目部８を選択することによって、前記かご型パレットＡを上下に段積みした際の下段側のかご型パレットＡの前記閉塞蓋体６を、この下段側のかご型パレットＡの周壁部３の内側に存する上段側のかご型パレットＡの前記脚部２より下方に下がった位置に取付可能な構成としている。
【００４８】
具体的には、閉塞蓋体６の左側縁部の前後方向に間隔を置いた二箇所に、前記格子目部８に差込み可能な幅のＵ字状線材から成る前記差込部９としての一側（左側）差込部９Ａをこの左側縁部より外方へ突出状態となるように付設（溶接）し、対向側の右側縁部の前後方向に間隔を置いた三箇所に、同じく前記格子目部８に差込み可能な幅のＵ字状線材から成る前記差込部９としての他側（右側）差込部９Ｂをこの右側縁部より外方へ突出状態となるように付設（溶接）した構成としている。
【００４９】
また、二箇所の一側差込部９Ａは、同じ高さに存する二箇所の前記格子目部８に同時に差込み可能となる前後間隔を置いて閉塞蓋体６の左側縁部に並設状態に突設した構成とし、三箇所の前記他側差込部９Ｂは、同じ高さに存する三箇所の前記格子目部８に同時に差込み可能となる前後間隔を置いて閉塞蓋体６の左側縁部に並設状態に突設した構成としている。
【００５０】
この取付手段７を介した閉塞蓋体６の周壁部３への取付方法について説明すると、図３に示すように、先ず閉塞蓋体６の他側（右側）を下方へ傾けて三箇所の他側差込部９Ｂを右壁体14の任意の高さに存する三箇所の格子目部８に差込み、続いて他側差込部９Ｂを回動支点にして閉塞蓋体６の一側（左側）を下動させ、他側差込部９Ｂが差込まれた格子目部８と同じ高さに存する左壁体13の二箇所の格子目部８に一側差込部９Ａを差込むことによって、閉塞蓋体６が周壁部３に水平に取付けられてこの閉塞蓋体６で周壁部３の上部開口部５が閉塞される構成としている。
【００５１】
また、図面は、一側差込部９Ａの突出先端側を下方へ略直角に垂下折曲して、この折曲垂下片部23が格子目部８の下側格子枠の外面に当接することで閉塞蓋体６の右方への位置ズレ（横ズレ）が防止される構成としている。
【００５２】
従って、周壁部３の格子目部８を選択して差込部９を差込むことにより、かご型パレットＡを上下に段積みした際に上段側のかご型パレットＡの前記脚部２より下方に下がった位置に閉塞蓋体６を容易に取付可能であり、このように閉塞蓋体６を取付けしておくことにより、かご型パレットＡを段積みした際に上段のかご型パレットＡの脚部２が下段のかご型パレットＡの閉塞蓋体６に載置接触することがない。よって、図４に示すように安定的に複数のかご型パレットＡを上下に段積みし得、閉塞蓋体６の変形も生じないように構成している。
【００５３】
閉塞状態の閉塞蓋体６を取外して上部開口部５を開放する時は、上記取付方法手順と逆の手順で閉塞蓋体６を取外すことができる。
【００５４】
また、本実施例の閉塞蓋体６は、複数枚を上下に重合し得る平板状に形成している。具体的には、例えば図５に示すように、複数の板状の閉塞蓋体６を前記垂下片部９Ａの位置を合わせて各板面同士を重合し得るように構成し（図面は閉塞蓋体６を裏返して重合した状態を示している。）、このように複数枚を重ねて嵩張らない状態で運搬したり格納したりできる構成としている。
【００５５】
尚、本実施例では、既存のかご型パレットＡに対して後付け使用するパレット用蓋体を示したが、パレット用蓋体を具備したかご型パレット（パレット用蓋体がセットになったかご型パレット）を構成しても良い。
【実施例２】
【００５６】
本発明の具体的な実施例２について図６〜図９に基づいて説明する。
【００５７】
本実施例は、前記実施例１において、閉塞蓋体６の構成と、取付手段７の構成を異ならせた場合である。
【００５８】
具体的には、本実施例の閉塞蓋体６は、前記実施例１のそれと同形状であるが、前後方向の略中間位置で前後に二分割した構成とすると共に、この二分割した前蓋部６Ａと後蓋部６Ｂとを複数のガイド筒24で枢着して二つ折り重合し得るように構成している。即ち、本実施例の閉塞蓋体６は、上部開口部５から取り外して上部開口部５の全範囲を開放できるだけでなく、前記ガイド筒24を介して前蓋部６Ａだけを開放回動して上部開口部５の前側半分の範囲だけを開放することもできるように構成している。
【００５９】
また、本実施例の取付手段７は、前記前蓋体６Ａの左側縁部と右側縁部の前後中ほどに夫々一箇所ずつスライドガイド25を設けると共に、後蓋体６Ｂの左側縁部と右側縁部の前後位置にも夫々二箇所ずつスライドガイド25を設け、この各スライドガイド25に前記差込部９としてのスライドピン９Ｃを設けると共に、このスライドピン９Ｃを閉塞蓋体６の左側縁部と右側縁部とから外方へ突没スライド移動可能に設けている。
【００６０】
また、閉塞蓋体６の左側縁部の三箇所の各スライドピン９Ｃは、左壁部13の同じ高さに存する三箇所の前記格子目部８に同時に差込み可能となるように配置し、同様にして閉塞蓋体６の右側縁部の三箇所の各スライドピン９Ｃも、右壁部14の同じ高さに存する三箇所の前記格子目部８に同時に差込み可能となるように配置した構成としている。
【００６１】
この本実施例の取付手段７を介した閉塞蓋体６の周壁部３への取付方法について説明すると、左側縁部の三箇所の各スライドピン９Ｃを突出スライド移動させて左壁部13の任意の高さの格子目部８に差込むと共に、右側縁部の三箇所の各スライドピン９Ｃを突出スライド移動させて左壁部13でスライドピン９Ｃが差し込まれた格子目部８と同じ高さに存する右壁部14の三箇所の格子目部８に差込むことによって、閉塞蓋体６が周壁部３に水平に取付けられてこの閉塞蓋体６で周壁部３の上部開口部５が閉塞される構成としている。
【００６２】
また、この閉塞状態から各スライドピン９Ｃをスライド操作して各格子目部８から没入退避（挿脱）させると閉塞蓋体６を周壁部３から取外しでき、前蓋部６Ａの左右の各スライドピン９Ｃだけを没入退避させると、前蓋部６Ａだけを開放回動して上部開口部５の前側半分の範囲だけを開放できる構成としている。
【００６３】
また、本実施例の閉塞蓋体６も、例えば図９に示すように、複数の閉塞蓋体６の各板面同士を重合し得る平板状体に構成し、このように複数枚を重ねて嵩張らない状態で運搬したり格納したりできる構成としている。
【００６４】
他の構成は、前記実施例１と同様である。
【実施例３】
【００６５】
本発明の具体的な実施例３について図１０〜図１３に基づいて説明する。
【００６６】
本実施例は、前記実施例１において、取付手段７の構成を異ならせた場合である。
【００６７】
具体的には、本実施例の前記取付手段７は、前記閉塞蓋体６の左右対向位置に前記周壁部３の対向上縁に掛止可能な掛止部10を設けて、この掛止部10を周壁部３の対向上縁に掛止めることによって閉塞蓋体６を周壁部３に取付し得るように構成している。
【００６８】
更に詳しくは、閉塞蓋体６の複数の格子枠のうちの左右方向に長さを有するものを左右方向に延設した構成とし、この左右の各延設枠片を上方へ略直角に折曲すると共に、この左右の各折曲立直枠片の上端を水平外側へ略直角に折曲し、この左右の各折曲水平枠片を前後方向に長さを有する連結枠片で連結した構成として、この左右の水平部分を前記掛止部10としている。
【００６９】
即ち、閉塞蓋体６の左右両側縁部に、この閉塞蓋体６の上面（天面）に対し上方へ段差状に突出する掛止部10を設けている。
【００７０】
また、この掛止部10は、前記かご型パレットＡを上下に段積みした際の下段側のかご型パレットＡに取付けた前記閉塞蓋体６が、上段側のかご型パレットＡの前記脚部２より下方に下がった位置に配設するように、閉塞蓋体６の天面との段差幅（閉塞蓋体６天面からの掛止部10の上方への突出度）を設定構成している。
【００７１】
また、本実施例の閉塞蓋体６も、例えば図１３に示すように、複数の閉塞蓋体６を掛止部10の位置を合わせて各板面同士を重合し得る平板状体に構成し、このように複数枚を重ねて嵩張らない状態で運搬したり格納したりできる構成としている。
【００７２】
他の構成は、前記実施例１と同様である。
【００７３】
尚、本発明は、実施例１〜３に限られるものではなく、各構成要件の具体的構成は適宜設計し得るものである。
【符号の説明】
【００７４】
１  底部材
２  脚部
３  周壁部
４  載置部
５  上部開口部
６  閉塞蓋体
７  取付手段
８  格子目部
９  差込部
10  掛止部
Ａ  かご型パレット
【図１】
2016003030.tif 000003
【図２】
2016003030.tif 000004
【図３】
2016003030.tif 000005
【図４】
2016003030.tif 000006
【図５】
2016003030.tif 000007
【図６】
2016003030.tif 000008
【図７】
2016003030.tif 000009
【図８】
2016003030.tif 000010
【図９】
2016003030.tif 000011
【図１０】
2016003030.tif 000012
【図１１】
2016003030.tif 000013
【図１２】
2016003030.tif 000014
【図１３】
2016003030.tif 000015